(57)【特許請求の範囲】
【請求項１】
入力された動画像を圧縮してハードディスクに記録する画像記録装置において、
当該画像記録装置の電源が投入されると録画ボタンの操作に関わらず入力された第１コンテンツを記録する第１記録手段、
録画ボタンが操作されると入力された第２コンテンツを記録する第２記録手段を備え、
前記第１記録手段は所定時間ごとに第１コンテンツを半導体メモリに記憶し、当該半導体メモリに記憶された第１コンテンツを圧縮してハードディスクの第１領域に記録し、前記第２記録手段は第２コンテンツを圧縮してハードディスクの第２記録領域に記録することを特徴とする画像記録装置。
【請求項２】
前記第１コンテンツおよび前記第２コンテンツの連続性の有無を判別する第１判別手段、
前記連続性があると判断されたとき前記第１コンテンツを前記第１記録領域から前記第２記録領域に転送して記録する転送記録手段、
および前記第２記録領域に記録された前記第１コンテンツおよび前記第２コンテンツを互いに接続する接続手段をさらに備えることを特徴とする請求項１記載の画像記録装置。
【請求項３】
入力された映像信号を圧縮して記録媒体に記録する画像記録装置において、
当該画像記録装置の電源が投入されると録画ボタンの操作に関わらず入力される第１映像信号を圧縮して記録する第１記録手段、
録画ボタンが操作されると入力される第２映像信号を圧縮して記録する第２記録手段を備え、
前記第１記録手段は所定時間ごとに第１映像信号を半導体メモリに記憶し、当該半導体メモリに記憶された第１映像信号を圧縮して前記記録媒体の第１領域に記録し、前記第２記録手段は圧縮された第２映像信号を前記記録媒体の第２記録領域に記録することを特徴とする画像記録装置。
【発明の詳細な説明】
【０００１】
【産業上の利用分野】
この発明は、画像記録装置に関し、特にたとえば、記録指示の前に入力された第１コンテンツを第１記録領域に記録し、前記記録指示の後に入力された第２コンテンツを第２記録領域に記録する、画像記録装置に関する。
【０００２】
【従来の技術】
従来のこの種の画像記録装置では、電源が投入されると、その時点で選択されているチャネルの放送コンテンツがハードディスクのテンポラリ領域に記録され、所望のチャネルが選択された状態で録画ボタンが操作されると、当該所望のチャネルの放送コンテンツがハードディスクの正規領域に記録されていた。これによって、ユーザは、録画ボタンが操作される前のコンテンツも視聴することができた。
【０００３】
【発明が解決しようとする課題】
しかし、従来技術では、録画ボタンの操作前後で同じ放送コンテンツを視聴している場合でも、当該コンテンツは互いに別の領域に記録される。たとえば３０分の放送コンテンツを最初から視聴しており、１０分経過した時点で録画ボタンを操作した場合、最初から１０分の放送部分はテンポラリ領域に記録され、残りの２０分の放送部分は正規領域に記録される。すると、録画された当該放送コンテンツを連続して再生するには、特別な再生操作が必要となる。また、編集によってテンポラリ領域のコンテンツと正規領域のコンテンツとを接続すれば、再生時の特別な操作は不要となるが、この場合は編集作業が必要となる。つまり、従来技術では、連続性のある放送コンテンツを視聴している途中で録画操作を行った場合、その後の操作性が低減するという問題があった。
【０００４】
それゆえに、この発明の主たる目的は、操作性を向上させることができる、画像記録装置を提供することである。
【０００５】
【課題を解決するための手段】
この発明は、記録指示の前に入力された第１コンテンツを第１記録領域に記録し、記録指示の後に入力された第２コンテンツを第２記録領域に記録する画像記録装置において、第１コンテンツおよび第２コンテンツの連続性の有無を判別する第１判別手段、連続性があると判断されたとき第１コンテンツを第１記録領域から第２記録領域に転送して記録する転送記録手段、および第２記録領域に記録された第１コンテンツおよび第２コンテンツを互いに接続する接続手段を備えることを特徴とする、画像記録装置である。
【０００６】
【作用】
この発明においては、画像記録装置の電源が投入されたときに（記録指示の前）にチューナなどから入力された第１コンテンツを第１記録領域に記録する。その後、録画ボタンが操作されると（記録指示の後）第１コンテンツの記録を中断して入力された第２コンテンツを第２記録領域に記録する。そして、第２コンテンツの記録が終了すると、第１判別手段が第１コンテンツと第２コンテンツの連続性（同じチャネルで時間が連続しているか）の有無を判別する。そして、第１コンテンツと第２コンテンツとに連続性がある場合には、転送記録手段が、第１コンテンツを第２記録領域に転送して記録し、接続手段が第２記録領域内で自動的に第１コンテンツと第２コンテンツとを接続する。
【０００７】
第１コンテンツおよび第２コンテンツは、コマーシャルメッセージを含むテレビジョン番組である。そして、第２判別手段は同じチャネルで連続して入力される第１コンテンツの時間長さを判別し、この時間長さが閾値（コマーシャルメッセージの最小放送時間）に満たない場合には、無効手段が当該第１コンテンツを無効とする。無効とされたとき、第１コンテンツは第１記録領域に記録されない。
【０００８】
第１コンテンツと第２コンテンツとの連続性の判断は、チャネル判別手段が第１コンテンツと第２コンテンツとのチャネルの同一性を判断し、時刻判別手段が第１コンテンツの終了時間と第２コンテンツの開始時間の同一性を判断することによって行う。
【０００９】
少なくとも第２記録領域に記録される第２コンテンツは、ＦＡＴなどの管理情報によって管理され、第１コンテンツと第２コンテンツとの接続はこの管理情報を更新することによって行われる。
【００１０】
【発明の効果】
この発明によれば、自動的に記録された第１コンテンツとユーザが操作して記録した第２コンテンツとの内容に連続性があれば、第１コンテンツと第２コンテンツとが自動的に接続される。したがって、再生時の特別な操作や編集などの手間が省けるので操作性が向上する。
【００１１】
この発明の上述の目的，その他の目的，特徴および利点は、図面を参照して行う以下の実施例の詳細な説明から一層明らかとなろう。
【００１２】
【実施例】
図１を参照して、この実施例の画像記録装置としてのハードディスクレコーダ１０は、ＣＰＵ１２を含む。ＣＰＵ１２には、ＣＰＵ１２を補助するシステム・コントローラ１４が接続される。システム・コントローラ１４には、ＨＤ（Hard Disk）１６ａに映像と音声とを記録するＨＤＤ（Hard Disk Drive）１６，ユーザの操作を受け付ける操作パネル１８，映像と音声とのエンコードおよびデコードを行うＭＰＥＧ−２エンコーダ／デコーダ２２などが接続される。
【００１３】
ＭＰＥＧ−２エンコーダ／デコーダ２２には、バッファとしてのＳＤＲＡＭ２０の他に、ビデオデコーダ２４，オーディオＡＤＣ２６，ビデオエンコーダ２８，オーディオＤＡＣ３０などが接続される。
【００１４】
また、ビデオデコーダ２４およびオーディオＡＤＣ２６にはチューナ３２が接続され、さらに、チューナ３２にはアンテナ３３が接続される。
【００１５】
チューナ３２は、所望のチャネルで放送されている高周波信号（テレビコマーシャルを間欠的に含むテレビジョン放送番組）をアンテナ３３を介して受信し、受信した高周波信号に含まれるビデオ信号およびオーディオ信号をビデオデコーダ２４およびオーディオＡＤＣ２６にそれぞれ与える。
【００１６】
ビデオデコーダ２４は与えられたビデオ信号をデコードしてＭＰＥＧ−２エンコーダ／デコーダ２２に出力する。また、オーディオＡＤＣ２６は与えられたオーディオ信号をディジタル化してＭＰＥＧ−２エンコーダ／デコーダ２２に出力する。
【００１７】
ＭＰＥＧ−２エンコーダ／デコーダ２２に与えられたビデオ信号とオーディオ信号とは、一旦、ＳＤＲＡＭ２０に格納される。ＭＰＥＧ−２エンコーダ／デコーダ２２は、ＳＤＲＡＭ２０に蓄積されたビデオ信号とオーディオ信号とをＭＰＥＧ−２の規格に則ってエンコードする。そして、エンコードされたＭＰＥＧデータは、システム・コントローラ１４を介してＨＨＤ１６が備えるＨＤ１６ａに記録される。
【００１８】
また、ＨＤＤ１６のＨＤ１６ａに記録されたＭＰＥＧデータは、システム・コントローラ１４によって読み出され、ＭＰＥＧ−２エンコーダ／デコーダ２２に与えられる。ＭＰＥＧ−２エンコーダ／デコーダ２２は与えられたＭＰＥＧデータをビデオ信号とオーディオ信号とにデコードし、ビデオ信号をビデオエンコーダ２８に出力し、オーディオ信号をオーディオＤＡＣ３０に出力する。
【００１９】
ビデオエンコーダ２８は、与えられたビデオ信号をエンコードして、図示しないビデオ端子に出力する。また、オーディオＤＡＣ３０は、与えられたオーディオ信号をアナログ化して、図示しないオーディオ端子に出力する。ビデオ端子およびオーディオ端子は、図示しないテレビなどのビデオ入力端子およびオーディオ入力端子に接続される。したがって、映像がテレビモニタに表示され、音声がテレビのスピーカから出力される。
【００２０】
なお、この実施例のハードディスクレコーダ１０は、受信した番組を録画しながら再生をすることも可能である。
【００２１】
図２に示すように、ＨＤ１６ａは、３つのパーティションに分けられており、第１パーティションにはテンポラリファイルを記録するテンポラリファイル領域が設けられており、第２パーティションには正規ファイルを記録する正規ファイル領域が設けられている。第３パーティションにはＧＵＩデータが記録されている。
【００２２】
オペレータが、操作パネル１８に設けられた図示しない電源ボタンを操作して電源を投入すると、チューナ３２が選択しているチャネルの番組が第１パーティションのテンポラリファイル領域にテンポラリファイルとして記録される（これを、“裏録画”と呼ぶ）。そして、ユーザが操作パネル１８を操作してチャネルを変更した場合には、変更されたチャネルの番組のテンポラリファイルがテンポラリファイル領域に記録される。
【００２３】
ただし、同じチャネルが継続して選択されている時間が短かった場合（たとえば１５秒（コマーシャルメッセージの最小放送時間）以下だった場合）は、この番組のビデオ信号とオーディオ信号とはＳＤＲＡＭ２０に蓄積されただけで、テンポラリファイル領域には記録されない。つまり、ＳＤＲＡＭ２０は、１５秒以上の番組に相当するビデオ信号とオーディオ信号とを蓄積するだけの容量を備えており、短時間のビデオ信号およびオーディオ信号は無効とされる。
【００２４】
オペレータが操作パネル１８に設けられた図示しない録画ボタンを操作して番組の録画を開始した場合には、裏録画が中止され、現在選択されているチャネルのビデオ信号およびオーディオ信号が第２パーティションの正規ファイル領域に正規ファイルとして記録される（これを、“本録画”とよぶ）。
【００２５】
つまり、ユーザが番組を視聴している途中で当該番組を録画したいと思って、録画ボタンを操作した場合には、裏録画が中止されて本録画が開始される。この場合、本録画される番組のチャネルと、本録画の直前に裏録画されていたチャネルとは同じになる。このとき、同一番組（チャネルが同じ）であり内容が連続したテンポラリファイルと正規ファイルとが、第１パーティションと第２パーティションとに存在することになる。
【００２６】
そこで、この実施例のハードディスクレコーダ１０では、本録画が終了したときに、自動的にテンポラリファイルを正規ファイル領域に転送（複写）し、同一チャネルの正規ファイルの先頭に接続して１つのコンテンツを形成する。なお、本録画が終了したときに自動的にテンポラリファイルと正規ファイルとの接続を行うか、行わないかはメニュー操作によって設定できる。自動でファイルの接続を行わない場合には、本録画が終了した時点でメッセージが表示され、オペレータの操作に応答してテンポラリファイルと正規ファイルとが接続される。
【００２７】
いくつもの裏録画が行われ、テンポラリファイル領域の空き容量がなくなると、裏録画するテンポラリファイルは、リングバッファに記録されるように、自動的に以前に裏録画された最も古いテンポラリファイルに上書きされる。
【００２８】
一方、本録画される正規ファイル領域については、空き容量が少なくなると、メッセージを表示して不要コンテンツ（正規ファイル）を選択して消去するようにするか、自動的に最も古いコンテンツ（正規ファイル）を消去するようにするかをあらかじめ設定できるようになっている。
【００２９】
図２を参照して、ＨＤ１６ａの構成内容について説明する。図２よりわかるように、ＨＤ１６ａは大きく３つのパーティションに分かれている。第１パーティションには、前述のテンポラリファイル領域の他に、パーティションテーブル領域，フォーマット情報領域，ディレクトリファイル領域が設けられている。パーティションテーブル領域には、ＨＤ１６ａがどのように区切られているかを示す情報が記録されている。フォーマット情報領域には、ＨＤ１６ａがどのようなフォーマットに従うかを示す情報が記録されている。なお、ＨＤ１６ａに記録されるファイル（コンテンツ）はＦＡＴ（File Allocation Table）ファイル・システム形式で管理される。
【００３０】
そして、ディレクトリファイル領域には、テンポラリファイル領域に記録されているテンポラリファイルに関連するファイル名などが記録されている。たとえば、図３（Ａ）に示すように、ＭＰＥＧファイル名，ｉｎｄｅｘファイル名，サムネイルファイル名，コンテンツ情報などが記録されている。コンテンツ情報には、録画を開始した年月日および時刻情報，録画を終了した年月日および時刻情報，チャネル情報，Ｉピクチャ（Intra-Picture）の開始絶対番地情報，Iピクチャの終了絶対番地情報などが含まれている。なお、Ｐピクチャ（Predictive-Picture）は差分データであるので絶対番地を持たない。
【００３１】
第２パーティションには前述のコンテンツ領域のほかに、コンテンツ領域に記録されているコンテンツに関連するファイル名などが記録されているディレクトリ領域が含まれている。ディレクトリ領域には、図３（Ｂ）に示すように、ＭＰＥＧファイル名，ｉｎｄｅｘファイル名，サムネイルファイル名，コンテンツ情報などが記録されている。コンテンツ情報には、録画を開始した年月日および時刻情報，録画を終了した年月日および時刻情報，チャネル情報，ジャンル情報，Ｉピクチャの開始絶対番地情報，Iピクチャの終了絶対番地情報などが含まれている。ジャンル情報とは、番組の内容を示す情報である。
【００３２】
第３パーティションには、ＨＤＤビデオの機能設定のためのメニュー表示やオン・スクリーンの表示に必要なＧＵＩデータが記録されている。
【００３３】
テンポラリファイル領域に図４（Ａ）に示すようなテンポラリファイルが記録されており、正規ファイル領域に図４（Ｂ）に示すような正規ファイルが作成されたとすると、この実施例のハードディスクレコーダ１０では、図４（Ｃ）に示すような正規ファイルが作成される。
【００３４】
次に、図５から図７のフロー図を用いて、上述したような機能を実現するために、ＣＰＵ１２（図１参照）がどのような動作を行うかを説明する。
【００３５】
まず、電源が投入されると、ＣＰＵ１２はステップＳ１において、現在、チューナ３２が選択しているチャネル（たとえば、Ａチャネル）の裏録画を開始する。この裏録画データがＨＤ１６ａに記録される際には、ＨＤ１６ａのテンポラリファイル領域（図２参照）に記録される。しかし、まずはバッファとしてのＳＤＲＡＭ２０に蓄積される。
【００３６】
ユーザが操作パネル１８を操作してチャネルを変更する（たとえば、Ｂチャネル）と、ステップＳ３において、チャネル変更があったと判断する。すると、ステップＳ５において、Ａチャネルの裏録画の時間が閾値以上、たとえば１５秒以上であったかどうかを判断する。１５秒以上であった場合には、ステップＳ７においてコンテンツ情報に終了時刻のタイムスタンプ（図３（Ａ）参照）を記録し、ステップＳ９においてＡチャネルを裏録画したテンポラリファイルをクローズし、ステップＳ１１において、テンポラリファイルを作成した旨、ＦＡＴを更新する。そして、ステップＳ１に戻ってＢチャネルの裏録画を開始する。
【００３７】
一方、ステップＳ５において、Ａチャネルの裏録画の時間が１５秒よりも短かったと判断した場合には、ステップＳ１３でＳＤＲＡＭ２０をクリアしてＡチャネルの裏録画データを破棄する。録画時間が１５秒よりも短い場合は、Ａチャネルの録画データ（ビデオ信号およびオーディオ信号）はすべてＳＤＲＡＭ２０内に格納されており、ＨＤ１６ａには記録されていない。
【００３８】
操作パネル１８に設けられた録画ボタンを操作すると、図６のステップＳ２９において、Ｂチャネルの本録画の開始であると判断する。
【００３９】
そして、ステップＳ３１において、現時点で選択されているＢチャネルの裏録画の時間が１５秒以上であったかどうかを判断する。録画時間が１５秒以上である場合には、ステップＳ３５において、コンテンツ情報に録画終了時のタイムスタンプを追加し、ステップＳ３７においてＢチャネルのテンポラリファイルをクローズする。そして、ステップＳ３９において、テンポラリファイルを作成した旨、ＦＡＴを更新する。一方、録画時間が１５秒よりも短い場合には、ステップＳ３３において、ＳＤＲＡＭ２０をクリアする。
【００４０】
そして、ステップＳ４１においてＢチャネルの本録画を開始する。ステップＳ４３ではコンテンツ領域の空き容量が閾値、たとえば５ＭＢ以下になったかどうかを判断する。空き容量が５ＭＢ以下である場合には、さらにステップＳ４５において、自動消去の設定がオン状態であるかどうかを判断する。自動消去の設定がオン状態である場合には、ステップＳ４７において、正規ファイル領域に記録されている最も古い正規ファイルを自動的に消去する（正規ファイルを削除した旨、ＦＡＴを更新する）。
【００４１】
一方、自動消去の設定がオフ状態である場合には、ステップＳ４９において、「残り記録容量が少なくなりました。不要コンテンツを消去しますか。」というメッセージと、コンテンツ（正規ファイル）を消去するか、しないかを選択するためのメニューをテレビモニタに表示する。このとき、テレビモニタへの表示には第３パテーションに記録されているＧＵＩデータが使用される。ユーザが操作パネル１８を操作してコンテンツを消去するというメニューを選択すると、ステップＳ５１において正規ファイルを消去すると判断される。すると、テレビモニタにコンテンツの一覧（サムネイル）と録画年月日とが表示されるので、ユーザは消去するコンテンツを選択する（ステップＳ５３）。そして、ステップＳ５５において、選択された正規ファイル（コンテンツ）を削除する（正規ファイルを削除した旨、ＦＡＴを更新する）。一方、コンテンツを消去しないというメニューを選択すると（ステップＳ５１において“ＮＯ”と判断される）、ステップＳ５３およびステップＳ５５をスキップして、正規ファイルを消去しないでステップＳ５７に進む。
【００４２】
ステップＳ５７では、操作パネル１８に設けられた図示しない録画停止ボタンが操作されたかどうかを判断する。録画停止ボタンが操作されていないと判断した場合には、ステップＳ４３に戻る。一方、録画停止ボタンが操作されたと判断した場合には、図７のステップＳ５９において、録画を停止したときのタイムスタンプを正規ファイルのコンテンツ情報（図３（Ｂ）参照）として記録し、ステップＳ６１においてＢチャネルの番組の正規ファイルをクローズする。そして、ステップＳ６３において、正規ファイルを作成した旨、ＦＡＴを更新する。
【００４３】
ステップＳ６５では、今、録画したコンテンツ（正規ファイル）と同じチャネル（たとえばＢチャネル）のテンポラリファイルが第１パーティションのテンポラリファイル領域に存在するかどうかを判断する。
【００４４】
同じチャネルのテンポラリファイルが存在すると判断すると、次に、ステップＳ６７において、その同じＢチャネルのテンポラリファイルと正規ファイルとの録画時間が連続しているか、つまり、テンポラリファイルのコンテンツ情報の録画終了年月日および時刻と正規ファイルのコンテンツ情報の録画開始年月日および時刻とが連続しているかどうかを判断する（図４（Ａ）および（Ｂ）参照）。ステップＳ６５もしくはステップＳ６７において“ＮＯ”と判断したときには、図５のステップＳ１に戻り、再び裏録画を開始する。
【００４５】
一方、ステップＳ６５およびステップＳ６７において“ＹＥＳ”と判断したときには、ステップＳ６９において、テンポラリファイルと正規ファイルとの自動接続が「する」に設定されているかどうかを判断する。
【００４６】
「する」に設定されている場合には、図４（Ａ）から（Ｃ）に示すコンテンツ情報から分かるように、図４（Ａ）の情報に関連する正規ファイルの先頭に図４（Ｂ）の情報に関連するテンポラリファイルを接続して、１つのＢチャネルの正規ファイルを作成する。
【００４７】
つまり、ステップＳ７５において、接続するテンポラリファイルを第１パーティション領域から第２パーティション領域に転送（複写）し、ステップＳ７７において、転送してきたテンポラリファイルが正規ファイルの先頭に接続されて一連の正規ファイルとなるようにＦＡＴを更新する。
【００４８】
一方、テンポラリファイルと正規ファイルとの自動接続が「する」に設定されていない場合には、ステップＳ７１において、「只今録画した番組コンテンツとつなぎ合わせることのできるテンポラリファイルが存在します。テンポラリファイルを番組コンテンツにつなぎ合わせますか？」というメッセージと、つなぎ合わせるかどうかを選択するためのメニューとをテレビモニタに表示する。このとき、テレビモニタへの表示には第３パテーションに記録されているＧＵＩデータが使用される。
【００４９】
ユーザが操作パネル１８を操作して、つなぎ合わせるというメニューを選択すると、ステップＳ７３において接続すると判断し、上述したように、ステップＳ７５においてテンポラリファイルを第１パーティション領域から第２パーティション領域に転送（複写）し、ステップＳ７７において、ＦＡＴを更新してテンポラリファイルを正規ファイルに接続して１つの正規ファイルとする。
【００５０】
一方、ユーザが、つなぎ合わせないというメニューを選択すると、ステップＳ７５およびステップＳ７７をスキップしてテンポラリファイルと正規ファイルとの接続を行わず、図５のステップＳ１に戻り、再び裏録画を開始する。
【００５１】
ユーザがハードディスクレコーダ１０の電源をおとすために操作パネル１８に設けられている図示しない電源ボタンを操作すると、図５のステップＳ１５において、電源のオフ操作がされたと判断する。すると、ステップＳ１７において、裏録画の時間が閾値、つまり１５秒以上であるかどうかを判断する。録画時間が１５秒以上である場合には、ステップＳ１９においてコンテンツ情報に録画終了時刻のタイムスタンプを記録し、ステップＳ２１において裏録画したテンポラリファイルをクローズする。一方、裏録画の時間が１５秒よりも短い場合には、ステップＳ２７において、ＳＤＲＡＭ２０に蓄積されているビデオ信号とオーディオ信号とをクリアしてテンポラリファイルの作成を行わない。そして、これらの後で、ステップＳ２５において電源を落とす。
【００５２】
以上説明したように、この実施例のハードディスクレコーダ１０によれば、内容が連続している、裏録画されたテンポラリファイルと本録画された正規ファイルとを自動的に接続することができる。したがって、再生するときの特別な操作が不要であり、テンポラリファイルと正規ファイルとの編集の手間も省けるので操作性が向上する。
【００５３】
なお、上述した実施例は形態を種々に変更することができる。たとえば、上述の例では、本録画を行っているとき以外は常に裏録画を行うこととしたが、裏録画を行うかどうかを設定によって決定できるようにしてもよい。
【００５４】
また、上述の例では、本録画を終了したときに、テンポラリファイルと正規ファイルとの自動接続を行うこととしたが、本録画中に再生操作が行われた場合にもテンポラリファイルと正規ファイルとの自動接続を行い、テンポラリファイルであった部分から再生するようにしてもよい。
【００５５】
さらに、ＨＤ１６ａをパーティションに区切り、テンポラリファイルを第１パーティションに記録し、正規ファイルを第２パーティションに記録することとしたが、ＨＤ１６ａをパーティションに区切らず、ＦＡＴによってテンポラリファイルと正規ファイルとを区別して管理するようにしてもよい。
【００５６】
また、１つのＨＤ１６ａにテンポラリファイルと正規ファイルとを記録することとしたが、ＨＤ１６ａの他に、記録媒体が着脱自在なたとえばＤＶＤドライブを搭載し、テンポラリファイルをＨＤ１６ａに記録し、正規ファイルをＤＶＤ−ＲＡＭに記録するようにしてもよい。
【図面の簡単な説明】
【図１】この発明の一実施例の全体構成を示すブロック図である。
【図２】ＨＤの内部構成の一例を示す図解図である。
【図３】ディレクトリファイルに記録されるデータの一例を示す図解図である。
【図４】テンポラリファイルと正規ファイルとの接続を示す図解図である。
【図５】図１における実施例の動作を示すフロー図である。
【図６】図１における実施例の動作を示すフロー図である。
【図７】図１における実施例の動作を示すフロー図である。
【符号の説明】
１０  …ハードディスクレコーダ
１２  …ＣＰＵ
１４  …Ｓｙｓｔｅｍ  Ｃｏｎｔｒｏｌ
１６  …ＨＤＤ（Hard Disk Drive）
１６ａ  …ＨＤ（Hard Disk）
【図１】
0004118073.tif 000002
【図２】
0004118073.tif 000003
【図３】
0004118073.tif 000004
【図４】
0004118073.tif 000005
【図５】
0004118073.tif 000006
【図６】
0004118073.tif 000007
【図７】
0004118073.tif 000008